(57)【特許請求の範囲】
【請求項１】
着用者の上半身を覆う本体生地を備えた上半身衣類において、
前記着用者の背面を覆う前記本体生地には、前記本体生地より緊締力が強い複数の緊締部が形成され、
前記緊締部は、着用者の脊柱起立筋に対応する位置に沿うように配置され、前記着用者の高さ方向において第７胸椎に相当する位置から第１２胸椎に相当する位置まで延在し、前記着用者の脊柱の後ろ中心を挟んで一対の第１の帯状部と、
前記一対の第１の帯状部の下端部に連結し、前記着用者の左右方向に延在して、左右両側の脇線よりも正面側まで連続する第２の帯状部と、を備え、
前記第７胸椎に対応する高さ位置において、前記第１の帯状部の内側端部を通る垂線が、前記第１２胸椎に対応する高さ位置において、前記第１の帯状部の外側端部より内側を通るように、前記一対の第１の帯状部が配置され、
前記第２の帯状部の端部同士が、前記着用者の正面側において、前記左右方向に離間していることを特徴とする記載の上半身衣類。
【請求項２】
前記第２の帯状部は、前記着用者の側部に対応する位置において、正面側が上方へ傾斜するように配置されている請求項１に記載の上半身衣類。
【請求項３】
前記高さ方向において、前記第２の帯状部と離間して下方に配置され、前記着用者の仙腸関節に相当する位置を覆うように配置された下側緊締部を更に備えている請求項１又は２記載の上半身衣類。
【発明の詳細な説明】
【技術分野】
【０００１】
本発明は、着用者の上半身を覆う上半身衣類に関する。
【背景技術】
【０００２】
例えば、上半身衣類として、着用者の脊柱の動きを阻害せずに、息を吸う時に使う筋肉を重点的にサポートする衣類がある（例えば、特許文献１参照）。特許文献１に記載の上半身衣類では、着用者の胸部に密着する本体身頃を備え、本体身頃よりも伸縮性が低い帯状の布が、本体身頃に複数配置されている。具体的には、複数の帯状の布は、左右の肩峰から胸骨中央相当部に至る第１のライン、胸骨中央相当部から胸部下方を通り左右の脇部に至る第２のライン、及び当該第２のラインにおける左右の脇部近傍を背面で結ぶ第３のラインに沿って、本体身頃に縫合されている。
【先行技術文献】
【特許文献】
【０００３】
【特許文献１】特開２００２−３０２８１０号公報
【発明の概要】
【発明が解決しようとする課題】
【０００４】
例えば仕事や家事を行う場合において、前かがみの状態から立ち上がる際の動きを滑らかで、楽に行いたいという要望がある。一般的な立ち上がり方の場合、背中が丸まり腰だけが前に動くため、負荷が一箇所に集中しやすくなる傾向があるため、改善が求められている。
【０００５】
本発明は、このような課題を解決するために成されたものであり、前かがみの状態から起き上がる際に、着用者の滑らかな動きを促すことで、着用者に作用する負荷を分散させることが可能な上半身衣類を提供することを目的とする。
【課題を解決するための手段】
【０００６】
本発明は、着用者の上半身を覆う本体生地を備えた上半身衣類において、着用者の背面を覆う本体生地には、当該本体生地より緊締力が強い複数の緊締部が形成され、緊締部は、着用者の脊柱起立筋に対応する位置に沿うように配置され、着用者の高さ方向において第７胸椎に相当する位置から第１２胸椎に相当する位置まで延在し、着用者の脊柱の後ろ中心を挟んで一対の第１の帯状部と、一対の第１の帯状部の下端部に連結し、着用者の左右方向に延在して、左右両側の脇線よりも正面側まで連続する第２の帯状部と、を備え、第７胸椎に対応する高さ位置において、第１の帯状部の内側端部を通る垂線が、第１２胸椎に対応する高さ位置において、前記第１の帯状部の外側端部より内側を通るように、前記一対の第１の帯状部が配置され、第２の帯状部の端部同士が、着用者の正面側において、左右方向に離間している上半身衣類を提供する。
【０００７】
この構成の上半身衣類では、本体生地より緊締力が強い複数の緊締部として、一対の第１の帯状部が脊柱の後ろ中心を挟んで配置されている。この一対の帯状部は、着用者の脊柱起立筋に沿うように背面側に配置され、第７胸椎に相当する位置から第１２胸椎に相当する位置まで延在している。これにより、着用者が前かがみになったとき、一旦伸長した一対の第１の帯状部が長手方向に収縮して本体生地が収縮し、これに連動して、着用者に対して、背中を起こすように後ろ向きの力を作用させることが可能となる。このとき、脊柱起立筋に相当する位置に沿うように、一対の帯状部が配置されているため、着用者の背中の筋肉の働きをサポートしながら、背中を起こすような力をかけることができる。そのため、着用者の滑らかな動きを促すことで、着用者に作用する負荷を分散させて、負荷が一箇所に集中することが防止される。
【０００８】
ここで、本発明は、第１２胸椎に対応する高さ位置の着用者の左右方向において、本体生地の左側の端部と左側の第１の帯状部との間隔をＰ１とし、左右の第１の帯状部同士の間隔をＰ２とし、右側の第１の帯状部と本体生地の右側の端部との間隔をＰ３とした場合に、  Ｐ１：Ｐ２：Ｐ３＝１〜２：１：１〜２…（１）を満たしている構成でもよい。
【０００９】
この構成によれば、一対の第１の帯状部が、上記式（１）を満たすような間隔で配置されているので、上半身衣類は、第１の帯状部によって作用する力を、脊柱起立筋に沿う方向に働かせることができる。
【００１０】
緊締部は、一対の第１の帯状部の下端部に連結し、着用者の左右方向に延在して、左右両側の脇線よりも正面側まで連続する第２の帯状部を備え、当該第２の帯状部の端部同士が、着用者の正面側において、左右方向に離間している。
【００１１】
これにより、着用者が前かがみになったとき、第１の帯状部が収縮し第２の帯状部が引っ張られて本体生地が収縮し、これに連動して、着用者に対して、背中全体を脇から持ち上げるような上方への力を作用させることができる。また、第２の帯状部の端部が、着用者の正面側で離間し、第２の帯状部が正面側で連結していない構成であるため、着用者が立ち上がる際の胸の動きを阻害しないようにすることができる。これらにより、着用者の動きを一層滑らかなものとすることができ、前かがみから起き上がるときに、背中、腰を自然な流れで動かすことができる。また、第２の帯状部が正面側で連結していない構成であると、着用者の胃を圧迫することが防止され、着用感の低下を回避することができる。
【００１２】
また、第２の帯状部は、左右両側の脇線よりも正面側まで連続し、着用者の側部に対応する位置において、正面側が上方へ傾斜するように配置されている構成としてもよい。これにより、第１の帯状部が収縮し、第２の帯状部が引っ張られた際に、背中全体を脇から持ち上げるような上方への力を、脇線よりも正面側から抱え込むように作用させることができる。第２の帯状部が上方へ傾斜して配置されているため、第２の帯状部によって生じる上方への力を効率良く作用させることができる。
【００１３】
また、高さ方向において、第２の帯状部と離間して下方に配置され、着用者の仙腸関節に相当する位置を覆うように配置された下側緊締部を更に備えている構成としてもよい。これのように、第２の帯状部と連結しておらず、仙腸関節に相当する位置を背面側から覆うように形成された下側緊締部を備えていると、この下側緊締部によって、背中の動きの支点になる「胸椎と腰椎の境目に相当する部分」を後ろから前へ押し出すことができる。また、前かがみの状態から起き上がる際に、負荷が集中しやすい「脊柱と骨盤の境目に相当する部分」を後ろから前へ押し出すことができる。これらにより、第１の帯状部及び第２の帯状部によって着用者に作用する力を効果的に強化することができる。その結果、前かがみから起き上がるときに、背中と腰を順に、自然な流れで動かすことができる。
【発明の効果】
【００１４】
本発明の上半身衣類によれば、前かがみの状態から立ち上がる際に、着用者の滑らかな動きを促すことができ、着用者に作用する負荷を分散させることが可能であるため、着用者が楽に動けると実感させやすくなる。
【図面の簡単な説明】
【００１５】
【図１】本発明の第１実施形態に係る上半身衣類を背面側から示す斜視図である。
【図２】本発明の第１実施形態に係る上半身衣類の右側面図である。
【図３】本発明の第１実施形態に係る上半身衣類を正面側から示す斜視図である。
【図４】第１帯状部の配置を説明するための図である。
【図５】脊柱起立筋の配置を示す図である。
【図６】仙腸関節の位置を示す図である。
【図７】上半身衣類の着用者に作用する力の向きを示す概略図である。
【図８】前かがみ状態から立ち上がる際の着用者の動きを示す側面図である。
【図９】着用者の脊柱起立筋の筋活動評価結果を示すグラフである。
【図１０】本発明の一実施例に係る上半身衣類であるカットソー肌着を示す図である。
【図１１】本発明の一実施例に係る上半身衣類である丸編み肌着を示す図である。
【図１２】本発明の一実施例に係る上半身衣類であるキャミソールを示す図である。
【図１３】本発明の一実施例に係るスレンダージャケットを示す図である。
【図１４】比較例に係る上半身衣類を示す図である。
【図１５】本発明の実施例１に係る上半身衣類を示す図である。
【図１６】本発明の実施例２に係る上半身衣類を示す図である。
【図１７】本発明の実施例３に係る上半身衣類を示す図である。
【図１８】本発明の実施例３に係る上半身衣類の変形例を示す図である。
【発明を実施するための形態】
【００１６】
以下、本発明による上半身衣類の好適な実施形態について図面を参照しながら説明する。なお、図面の説明において同一または相当要素には同一の符号を付し、重複する説明は省略する。図１〜図３は、本発明の第１実施形態に係る上半身衣類１を示す図である。
【００１７】
上半身衣類１は、着用者の上半身を覆う肌着本体２を有する。この肌着本体２は、着用者の上半身の正面側を覆う前身頃３と、上半身の背面側を覆う後身頃４とを備えている。上半身衣類としては、編立肌着（経編み肌着、丸編み肌着）、カットソー肌着、キャミソール、スレンダージャケットなどが挙げられる。
【００１８】
肌着本体２の上部中央には、着用者の頭部を露出させる開口部である首ぐり部２ａが形成されている。肌着本体２の左右両側の上部には、着用者の左右両腕を露出させる開口部である袖ぐり部２ｂが形成されている。前身頃３及び後身頃４は、首ぐり部２ａ及び袖ぐり部２ｂが形成されていない上端部及び側端部が各々縫合されて、肌着本体２を構成している。肌着本体２の素材としては、経編みツーウェイラッセル素材を使用することができる。
【００１９】
上半身衣類１を背面側から見た場合、後身頃４は、首ぐり部２ａ及び袖ぐり部２ｂを形成する端部が、内側へ湾曲している。
【００２０】
ここで、本実施形態の上半身衣類１は、後身頃４の本体生地に、当該本体生地より緊締力の強い複数の緊締部６が形成されている。この緊締部６は、一対の第１帯状部７と、第２帯状部８とを有する。
【００２１】
一対の第１帯状部７は、着用者の脊柱１０１（図５参照）の後ろ中心を挟んで上下方向に配置されている。一対の第１帯状部７は、着用者の脊柱起立筋１０２（図５参照）に対応する位置に沿うように配置され、着用者の高さ方向において後身頃４の上端（２ａ）からから第２腰椎（１０１Ｌ２、図５参照）に相当する位置まで延在している。なお、第１帯状部７は、少なくとも着用者の高さ方向において第７胸椎（１０１Ｔ７、図５参照）に相当する位置から第１２胸椎（１０１Ｔ１２）に相当する位置まで延在していればよい。
【００２２】
図４は、第１帯状部の配置を示す概略図である。図４（ａ）に示すように、一対の第１帯状部７は、第７胸椎に対応する高さ位置において、第１帯状部７の内側端部７ａを通る垂線Ｌ１が、第１２胸椎に対応する高さ位置において、第１帯状部７の外側端部７ｂより内側を通るように、配置されている。内側端部７ａとは、後中心側の端部である。垂線Ｌ１は、上半身衣類１の下端の左右両端を結ぶ線直交する線（通常の着用状態において上下方向に延在する線）である。
【００２３】
図４（ｂ）では、第７胸椎に対応する高さ位置において、帯状部７Ｕの内側端部７ａを通る垂線Ｌ２が、第１２胸椎に対応する高さ位置において、帯状部７Ｕの外側端部７ｂより外側を通るように、帯状部７が配置されている。このような帯状部７は、本発明の第１帯状部７に含まれるものではない。垂線Ｌ２は、上半身衣類１の下端の左右両端を結ぶ線直交する線（通常の着用状態において上下方向に延在する線）である。
【００２４】
図５は、脊柱起立筋１０２の配置を示す図である。脊柱起立筋１０２は、脊柱１０１の左右方向の両側で、上下方向に配置されている。脊柱起立筋１０２は、腸肋筋１０３、最長筋１０４、及び棘筋１０５から成る。
【００２５】
図５（ａ）は、腸肋筋１０３の配置を示す図である。腸肋筋１０３は、脊柱起立筋１０２の外側部（脊柱１０１とは反対側）に配置されている。腸肋筋１０３は、上から順に、頚腸肋筋１０３Ｆ５、胸腸肋筋１０３Ｆ６、及び腰腸肋筋１０３Ｆ７を有する。図５（ａ）では、背面側から見て、左側の腸肋筋１０３のみを図示している。
【００２６】
図５（ｂ）は、最長筋１０４の配置を示す図である。最長筋１０４は、腸肋筋１０３より脊柱１０１側に配置されている。最長筋１０４は、上から順に、頭最長筋１０４Ｆ８、頚最長筋１０４Ｆ９、及び胸最長筋１０４Ｆ１０を有する。
【００２７】
図５（ｃ）は、棘筋１０５の配置を示す図である。棘筋１０５は、脊柱起立筋１０２の内側部（脊柱１０１側）に配置されている。棘筋１０５は、上から順に、頚棘筋１０５Ｆ１２、及び胸棘筋１０５Ｆ１３を有する。
【００２８】
一対の第１帯状部７は、第１２胸椎に対応する高さ位置の着用者の左右方向において、次式（１）を満たす間隔Ｐ１，Ｐ２、Ｐ３で配置されている（図１５（ａ）参照）。間隔Ｐ１は、後身頃４の左側の脇線（端部）５と左側の第１帯状部７との間隔である。間隔Ｐ２は、左右の第１帯状部７同士の間隔である。間隔Ｐ２は、右側の第１帯状部７と本体生地の右側の脇線（端部）５との間隔である。
Ｐ１：Ｐ２：Ｐ３＝１〜２：１：１〜２…（１）
【００２９】
一対の第１帯状部７は、図１に示すように、その下端部が互いに後中心側へ湾曲して、連結されていてもよい。一対の第１帯状部７の下端部７ｃは、連結されて例えば、Ｕ字状になっている。
【００３０】
第２帯状部８は、一対の第１帯状部７の下端部７ｃに連結し、着用者の左右方向に延在している。第２帯状部８は、図２及び図３に示すように、脇線５を越えて、正面側まで延びている。第２帯状部８の長手方向の端部８ａ同士は、着用者の正面側において、左右方向に離間している。第２帯状部８の端部８ａは、前身頃３において、左右方向に離間し、連結されていない。
【００３１】
第２帯状部８の上辺８１は、第１帯状部７と交差する位置から斜め下方へ傾斜するように配置されていてもよい。
【００３２】
第２帯状部８は、左右両側の脇線５よりも正面側まで連続し、着用者の側部に対応する位置において、正面側が上方へ傾斜するように配置されている。第２帯状部８は、例えば
第１２肋骨（１０９Ｎ１２）に対応する位置に沿って配置されている。
【００３３】
第２帯状部８の幅Ｗ８（上辺と下辺との間隔）は、脇線５近傍において、５ｃｍ以上であることが好ましい。第２帯状部８の幅Ｗ８が細すぎると、着用者が起き上がる際に作用する力が弱くなる。
【００３４】
また、上半身衣類１は、後身頃４の下部側の本体生地に、当該本体生地より緊締力が強い下側緊締部９が形成されている。この下側緊締部９は、第２帯状部８と離間して下方に配置されている。下側緊締部９は、着用者の仙腸関節１０６（図６参照）に相当する位置を覆うように配置されている。
【００３５】
下側緊締部９は、背面側から見て、三角形を成すように形成されている。下側緊締部９の頂点９１は、例えば第５腰椎に対応する位置に配置されている。下側緊締部９の斜辺９２（上縁）は、頂点９１から下方へ傾斜して配置され、肌着本体２の下端２ｃで脇線５に到達するように形成されている。なお、下側緊締部９の斜辺９２は、脇線５を越えて正面側まで配置されていてもよく、後身頃４内で収まるように配置されていてもよい。
【００３６】
図６は、仙腸関節１０６の位置を示す図である。仙腸関節１０６は、仙骨１０７と腸骨１０８を接続する部位である。下側緊締部９は、上述したように仙腸関節１０６に対応する位置に配置されている。下側緊締部９は、仙腸関節１０６に対応する位置を背面側から覆うように形成されている。
【００３７】
第１帯状部７、第２帯状部８、及び下側緊締部９と、本体生地との伸長回復性比率は、例えば１．２〜３．０：１程度であることが好ましい。第１帯状部７、第２帯状部８、及び下側緊締部９のパワー（復元力）を弱くし過ぎると、背中を起こし上げる力Ｆ１（図７参照）が弱くなる。第１帯状部７、第２帯状部８、及び下側緊締部９のパワーを強くし過ぎると、前へかがむ動作が制限されるおそれがある。
【００３８】
第１帯状部７、第２帯状部８、及び下側緊締部９は、例えば、編地の伸度を変更することで形成することができる。これにより、本体生地より緊締力が強い緊締部（第１帯状部７、第２帯状部８、及び下側緊締部９）を形成することができる。
【００３９】
次に、上半身衣類１を着用した場合の作用について説明する。図７は、上半身衣類１の着用者１００に作用する力の向きを示す側面図であり、着用者１００が前かがみの状態を示している。本実施形態の上半身衣類１を着用した場合には、着用者１００の上半身が前かがみの状態から、上半身を起こすときに、肌着本体２の本体生地が縮む力を利用して、着用者１００の背中１００ａ全体を脇から持ち上げると共に、着用者１００の腰１００ｂを前方へ適度に押し出すように、力が作用する。
【００４０】
具体的には、（１）一対の第１帯状部７が一度伸ばされた後に縮む力を利用することで、着用者１００の背中１００ａを起こすように力Ｆ１が作用する。次に、（２）第１帯状部７が縮む力に連動して、第２帯状部８が第１帯状部７に引っ張られ、着用者１００に対して脇から持ち上げるように上方への力Ｆ２が作用する。そして、（３）これらの力Ｆ１，Ｆ２に連動して、第２帯状部８及び下側緊締部９の協働により、着用者１００の腰１００ｂを後ろから押し出すように力Ｆ３が作用する。
【００４１】
また、上半身衣類１では、図３に示すように、正面側において、第２帯状部８の端部８ａが離間し連結していないため、着用者の胸部の動きが阻害されないように構成されている。
【００４２】
次に、図８を参照して、前かがみの状態から立ち上がる際において、従来の上半身衣類１Ｕを着用した場合と、本実施形態の上半身衣類１を着用した場合との違いについて説明する。
【００４３】
図８（ｃ），（ｄ）は、従来の上半身衣類１Ｕの着用者が前かがみの状態から立ち上がる際の動きを側方から示す図である。従来の上半身衣類１Ｕは、第１帯状部７、第２帯状部８、及び下側緊締部９が形成されていない以外は、上半身衣類１と同じ構成である。
【００４４】
従来の上半身衣類１Ｕを着用した場合には、前かがみの状態から立ち上がるときに、着用者１００の背中１００ａが丸まってしまい、腰１００ｂだけが前に動く傾向になる。そのため、着用者１００にかかる負担が一箇所に集中することになり、動きがぎこちなく、不自然で格好が悪くなる。
【００４５】
図８（ａ），（ｂ）は、本実施形態の上半身衣類１の着用者１００が前かがみの状態から立ち上がる際の動きを側方から示す図である。上半身衣類１を着用した場合には、背中１００ａが伸び、背中１００ａが上向き動いた後に（矢印ａ）、腰１００ｂが前に押し出される（矢印ｂ）。上半身衣類１を着用した場合には、前かがみの状態から立ち上がるときに、着用者１００にかかる負担が分散されるので、楽に動くことができる。上半身衣類１を着用した場合には、胸を張った姿勢を維持するのではなく、前かがみの状態から起き上がるときに、背中１００ａ、腰１００ｂを順に自然な流れで動かすことができる。これにより、上半身衣類１では、美しく楽な立ち上がり方を容易に行うことができる。
【００４６】
次に、図９を参照して、上半身衣類１の着用者が前かがみの状態から立ち上がる際の脊柱起立筋の筋活動評価について説明する。図９は、着用者の脊柱起立筋の筋活動評価結果を示すグラフである。本願発明者は、上半身衣類１を着用して前かがみの状態から起き上がる際に、脊柱起立筋１０２の筋活動に対する効果を調べるために実験を行った。
【００４７】
図１に示す上半身衣類１を６名の被験者に着用してもらい、筋電計を用いて、前かがみの状態から立ち上がる際の脊柱起立筋１０２の筋電位の積算値Ｅを測定した。また、比較対象として、第１緊締部７、第２帯状部８、及び下側緊締部９が形成されていない上半身衣類１Ｕを６名の被験者に着用してもらい、同様に、前かがみの状態から立ち上がる際の脊柱起立筋の筋電位の積算値ＥＳを測定した。
【００４８】
図９では、上半身衣類１の場合の筋電位の積算値Ｅの上半身衣類１Ｕの場合の筋電位の積算値ＥＳに対する割合Ｒ（＝Ｅ／ＥＳ）を、各被験者について示している。図９に示す割合Ｒが１未満の場合には、上半身衣類１を着用したときの方が、上半身衣類１Ｕを着用したときより、脊柱起立筋の筋電位の積算値が低いことを示している。すなわち、脊柱起立筋の活動が低く、脊柱起立筋にかかる負荷が減っていることを示している。図９に示すように、５名の被験者（Ｓ１〜Ｓ４、Ｓ６）については、脊柱起立筋１０２にかかる負荷が減っていることが判った。１名の被験者（Ｓ５）については、効果が認められなかった。例えば、被験者（Ｓ４）では、上半身衣類１を着用した方が、約１４％程度の負荷の減少が認められた。
【００４９】
このように、本実施形態に係る上半身衣類１によれば、一対の第１帯状部７が脊柱起立筋１０２に沿って、第７胸椎に相当する位置から第２腰椎に相当する位置まで配置されているため、第１帯状部７が縮む力を利用して力Ｆ１を作用させて背中を起こし易くなるように力Ｆ１を作用させることができる。これらにより、上半身衣類１は、前かがみの状態から起き上がる際に、着用者の滑らかな動きを促すことができ、着用者に作用する負荷を分散させることができる。
【００５０】
上半身衣類１では、一対の第１帯状部７の下端に連結する第２帯状部８が、左右方向に延在し、脇部を超えて正面側まで配置されているため、着用者の背中全体を脇から持ち上げるように上方の力Ｆ２を作用させることができる。これにより、着用者の動きを一層滑らかなものとすることができ、前かがみから起き上がるときに、背中、腰を自然な流れで動かすことができる。また、第２帯状部８が正面側で連結していない構成であるため、着用者の胃を圧迫することが防止され、着用感の低下を回避することができるとともに着用者の胸部の動きが阻害されず、前かがみから起き上がるときに、自然な流れで動くことができる。
【００５１】
本発明は、上記実施形態に限定されるものではない。上記実施形態では、上半身衣類１を経編み肌着として説明しているが、上半身衣類１は、その他の上半身衣類でもよい。以下、図１０〜図１３を参照して、本発明の実施形態である他の上半身衣類１Ｂ，１Ｃ，１Ｄ，１Ｅについて説明する。なお、上記実施形態と同様の説明は省略する。
【００５２】
（カットソー肌着）
図１０は、本発明の一実施例に係る上半身衣類であるカットソー肌着１Ｂを示す図である。図１０（ａ）は背面図、図１０（ｂ）は側面図、図１０（ｃ）は正面図である。カットソー肌着１Ｂは、第１帯状部７、第２帯状部８、及び下側緊締部９を備えている。本発明の上半身衣類は、カットソー肌着１Ｂに適用してもよい。カットソー肌着１Ｂの本体生地２の素材としては、例えば綿ベア天竺（綿９５％、ポリウレタン５％）を使用することができる。第１帯状部７及び第２帯状部８の素材としては、例えば２１０ｄパワーネット（８５８０ＰＮ）を使用することができる。
【００５３】
（丸編み肌着）
図１１は、本発明の一実施例に係る上半身衣類である丸編み肌着１Ｃを示す図である。図１１（ａ）は背面図、図１１（ｂ）は正面図である。丸編み肌着１Ｃは、第１帯状部７及び第２帯状部８を備えている。第１帯状部７は、例えばＶ字状に配置されている。丸編み肌着１Ｃの本体生地２の素材としては、丸編み素材を使用することができる。
【００５４】
（キャミソール）
図１２は、本発明の一実施例に係る上半身衣類であるキャミソール１Ｄを示す図である。図１２（ａ）は背面図、図１２（ｂ）は正面図である。キャミソール１Ｄは、第１帯状部７、第２帯状部８、及び下側緊締部９を備えている。第１帯状部７は、肩ストラップ２ｄから連続するように、肩ストラップ２ｄの付け根から下方へ延在している。第１帯状部７は、第７胸椎に対応する位置から下方へ延在している。第２帯状部８は、後ろ中心から脇線側へ斜め上方に傾斜して配置されている。キャミソール１Ｄの本体生地２の素材としては、経編素材を使用することができる。
【００５５】
（スレンダージャケット）
図１３は、本発明の一実施例に係るスレンダージャケット１Ｅを示す図である。図１３（ａ）は背面図、図１３（ｂ）は正面図である。スレンダージャケット１Ｅは、第１帯状部７、第２帯状部８、及び下側緊締部９を備えている。第１帯状部７は、後身頃４の上端から下方へ延在している。第１帯状部７は、途中で屈曲されていてもよく、直線的配置されていてもよい。下側緊締部９の斜辺９２（上縁）は、頂点９１から下方へ傾斜して配置され、途中で屈曲されて脇側へ連続している。下側緊締部９の下辺９３（下縁）は、左右方向に延在し、例えば直線的に形成されている。下辺９３は、後身頃４の下端４ａから上方へ離間した位置に形成されている。
【００５６】
次に、図１４〜図１７を参照して、上半身衣類の実施例及び比較例について説明する。本発明の実施例１〜３、及び比較例１に係る上半身衣類を着用して、上半身が前かがみの状態から起き上がる場合の着用感についての評価試験を行った。実施例１〜３及び比較例１の上半身衣類は、第１帯状部７、第２帯状部８、及び下側緊締部９の配置の有無が異なるが、その点（緊締部の位置、緊締部の素材、本体生地の素材など）は同一である。上記の実施形態と同一の説明は省略する。図１４〜図１７において、図（ａ）は背面図、図（ｂ）は正面図である。
【００５７】
図１４に示す比較例１に係る上半身衣類１Ｖは、第２帯状部８を備えているが、第１帯状部７及び下側緊締部９を備えていないものである。着用感についての評価試験の結果、比較例１の上半身衣類１Ｖについては、「胸や脇周りに締め付けがあるだけ。」、「上体が待ち上がるような感覚はない。」との感想が着用者から得られた。
【００５８】
図１５に示す実施例１に係る上半身衣類１Ｆは、第１帯状部７を備えているが、第２帯状部８及び下側緊締部９を備えていないものである。着用感についての評価試験の結果、実施例１の上半身衣類１Ｆについては、「前に屈んだとき背中へのサポートを感じた。」、「起き上がる感覚は小さい。」との感想が着用者から得られた。
【００５９】
図１６に示す実施例２に係る上半身衣類１Ｇは、第１帯状部７及び第２帯状部８を備えているが、下側緊締部９を備えていないものである。着用感についての評価試験の結果、実施例２の上半身衣類１Ｇについては、「前に屈んだときに上体が起き上がるような力を感じた。」、「前屈みなるときの背中の動きが楽だった。」、「上半身衣類の上側の部分のみに、締め付け感があるので、バランスが悪い。」、「上半身衣類が上方へずれ上ってくる感覚がある。」との感想が着用者から得られた。
【００６０】
図１７に示す実施例３に係る上半身衣類１Ｈは、第１帯状部７、第２帯状部８、及び下側緊締部９を備えている。第２帯状部８の上辺８１は、第１２胸椎に対応する高さ位置に配置され、第２帯状部８の下辺８２は、第２腰椎に対応する高さ位置に配置されている。着用感についての評価試験の結果、実施例３の上半身衣類１Ｈについては、「前に屈んだときに上体が起き上がるような力を感じた。」、「前に屈んだときに腰が支えられているような感覚があった。」、「前屈みになるときの背中と腰の動きが楽だった。」、「全体的にサポートされていてバランスがよいと感じることができた。」、「上半身衣類が上方へずれ上ってくる感覚はなかった。」との感想が着用者から得られた。
【００６１】
上記の着用感についての評価試験では、実施例１、実施例２、実施例３の順に、効果が高いとの結果が得られた。比較例１では、殆ど効果がなかった。
【００６２】
図１８は、本発明の実施例３に係る上半身衣類の変形例を示す図である。図１８（ａ）は平面図、図１８（ｂ）は正面図である。図１８に示す変形例の上半身衣類１Ｉが図１７に示す実施例３の上半身衣類１Ｈと違う点は、第１帯状部７の下端が、第３腰椎に対応する高さ位置に配置されている点、第２帯状部８の上辺８１が第３腰椎に対応する高さ位置に配置されている点、及び第２帯状部８の下辺８２が第５腰椎に対応する高さ位置に配置されている点である。このような構成の上半身衣類１Ｉにおいても、実施例３の上半身衣類１Ｈと同様な作用、効果を奏する。
【００６３】
以上、本発明のその実施形態に基づき具体的に説明したが、本発明は、上記実施形態に限定されるものではない。上記実施形態では、緊締部（第１帯状部７、第２帯状部８、及び下側緊締部９）を編地の伸度を部分的に切り替えることで形成しているが、例えば、当て布によって緊締部を形成してもよい。また、本体生地にオパール（抜蝕）加工を施すことで、緊締部を形成してもよく、例えば、ドット状の樹脂を本体生地に接触させることで緊締部を形成してもよく、その他の構成により、緊締部を形成してもよい。
【００６４】
また、第１帯状部７は、第７胸椎に対応する位置から第１２胸椎に対応する位置まで延在していればよく、第７胸椎に相当する位置よりも上方から形成されていてもよく、第１２胸椎に相当する位置より下方まで形成されていてもよい。例えば、第１帯状部７は、第５腰椎に対応する位置まで形成されていてもよい。
【００６５】
第１帯状部７は、第１２胸椎に対応する高さ位置の着用者の左右方向において、次式（１）を満たす間隔Ｐ１〜Ｐ３で配置されていないものでもよい。
Ｐ１：Ｐ２：Ｐ３＝１〜２：１：１〜２…（１）
【符号の説明】
【００６６】
１，１Ｂ，１Ｃ，１Ｄ，１Ｅ，１Ｆ，１Ｇ，１Ｈ，１Ｉ…上半身衣類、１Ｕ…従来の上半身衣類、１Ｖ…比較例に係る上半身衣類、２…肌着本体、２ａ…首ぐり部、２ｂ…袖ぐり部、２ｃ…下端、２ｄ…肩ストラップ、３…前身頃（生地本体）、４…後身頃（生地本体）、４ａ…下端、５…脇線、６…緊締部、７…第１帯状部、７ａ…内側端部、７ｂ…外側端部、７ｃ…下端部、８…第２帯状部、８ａ…端部、８１…上辺、８２…下辺、９…下側緊締部、９１…頂点、９２…斜辺、１００…着用者、１００ａ…背中、１００ｂ…腰、１０１…脊柱、１０１Ｔ７…第７胸椎、１０１Ｔ１２…第１２胸椎、１０１Ｌ５…第５腰椎、１０２…脊柱起立筋、１０３…腸肋筋、１０４…最長筋、１０５…棘筋、１０６…仙腸関節、１０７…仙骨、１０８…腸骨、１０９Ｎ１２…第１２肋骨、Ｆ１…背中を起こす力、Ｆ２…脇から持ち上げるように上方へ作用する力、Ｆ３…腰を押し出す力、Ｌ１…垂線。
【図１】
0005879919.tif 000002
【図２】
0005879919.tif 000003
【図３】
0005879919.tif 000004
【図４】
0005879919.tif 000005
【図５】
0005879919.tif 000006
【図６】
0005879919.tif 000007
【図７】
0005879919.tif 000008
【図８】
0005879919.tif 000009
【図９】
0005879919.tif 000010
【図１０】
0005879919.tif 000011
【図１１】
0005879919.tif 000012
【図１２】
0005879919.tif 000013
【図１３】
0005879919.tif 000014
【図１４】
0005879919.tif 000015
【図１５】
0005879919.tif 000016
【図１６】
0005879919.tif 000017
【図１７】
0005879919.tif 000018
【図１８】
0005879919.tif 000019